(57)【要約】【課題】ソケットへの挿入の際に、端子がずれることがなく、しかも折れ曲がり難い端子取付構造を得る。【解決手段】本発明は、貫通孔１ａを有する基台１と、一端側が貫通孔１ａに圧入され、コの字形の溝５ｂによって区画された切欠部５が基台１から露出する他端側に設けられた板状の端子２とを備え、コの字形の溝５ｂの深さは切欠部５の付け根に近いほど浅く、切欠部５が板状の端子２の主面より外側に押し出されている。これによって、ソケットへの挿入の際に端子２がずれることがなく、しかも折れ曲がり難くなる。【選択図】　　　　図１
2004039478.tif 000002
【特許請求の範囲】
【請求項１】
貫通孔を有する基台と、
一端側が前記貫通孔に圧入され、コの字形の溝によって区画された切欠部が前記基台から露出する他端側に設けられた板状の端子と、
を備え、
前記コの字形の溝の深さは当該切欠部の付け根に近いほど浅く、当該切欠部が前記板状の端子の主面より外側に押し出された端子取付構造。
【請求項２】
前記溝の断面はＶ字形である請求項１に記載の端子取付構造。
【請求項３】
前記切欠部の端面はテーパ形状である請求項２に記載の端子取付構造。
【請求項４】
貫通孔を有する基台と、
一端側が前記貫通孔に圧入され、コの字形の溝によって区画された切欠部が前記基台から露出する他端側に設けられた板状の端子と、
を備え、
前記切欠部が前記板状の端子の主面より外側に押し出された端子取付構造。
【発明の詳細な説明】
【０００１】
【発明が属する技術分野】
本発明は、端子の取付け構造に関する。
【０００２】
【従来の技術】
図８は従来の端子取付構造が適用されている電磁リレーの一部を示す断面図である。図８において、１０は基台、２は基台１０に圧入されて貫通して設けられた一対の端子、３は一対の端子２の各々の対面する側に設けられた固定接点である。一対の固定接点３の間には、点線で示す可動接点４が介在する。
【０００３】
電磁リレーは周知のように、図示しない電磁石に電流が流れていない状態では、一方の端子２と可動接点４とが接触する。電磁石に電流が流れると、可動接点４が動いて他方の端子２に接触する。
【０００４】
電磁リレーはソケットに差し込まれて用いられるが、電磁リレーがソケットに差し込まれるとき、端子２は上方に押され、固定接点３が可動接点４より上方にずれて、可動接点４に接触しない場合が生じる。
【０００５】
そこで、固定接点３が上方にずれないように、端子２に切欠部５０（図９参照）を設ける。これによって、基台１０の裏面に切欠部５０が当接するので、電磁リレーがソケットに差し込まれるとき、端子２は上方に押されてずれることはなく、固定接点３が可動接点４より上方にずれることを防ぐ。
【０００６】
【発明が解決しようとする課題】
以上のように、端子２に切欠部５０を設けたので、端子２の切欠部５０の両側の側部５０ａが、リレーをソケットに挿入したときに、折れ曲がり易いという問題点がある。
【０００７】
本発明は上記の問題点を解決するためになされたものであり、ソケットへの挿入の際に、端子がずれることがなく、しかも折れ曲がり難い端子取付構造を得ることを目的とする。
【０００８】
【課題を解決するための手段】
請求項１に記載の課題解決手段は、貫通孔を有する基台と、一端側が前記貫通孔に圧入され、コの字形の溝によって区画された切欠部が前記基台から露出する他端側に設けられた板状の端子とを備え、前記コの字形の溝の深さは当該切欠部の付け根に近いほど浅く、当該切欠部が前記板状の端子の主面より外側に押し出されている。
【０００９】
請求項２に記載の課題解決手段において、前記溝の断面はＶ字形である。
【００１０】
請求項３に記載の課題解決手段において、前記切欠部の端面はテーパ形状である。
【００１１】
請求項４に記載の課題解決手段は、貫通孔を有する基台と、一端側が前記貫通孔に圧入され、コの字形の溝によって区画された切欠部が前記基台から露出する他端側に設けられた板状の端子とを備え、前記切欠部が前記板状の端子の主面より外側に押し出されている。
【００１２】
【発明の実施の形態】
（実施の形態１）
図１は本発明の実施の形態１の端子取付構造が適用されている電磁リレーの一部を示す断面図である。図１に示す構造は、主として従来と同様である。すなわち、図１において、１は基台、２は一端側が基台１に圧入されて貫通して設けられた一対の端子、３は一対の端子２の各々の対面する側に設けられた固定接点である。一対の固定接点３の間には、点線で示す可動接点４が介在する。電磁リレーは周知のように、図示しない電磁石に電流が流れていない状態では、一方の端子２と可動接点４とが接触する。電磁石に電流が流れると、可動接点４が動いて他方の端子２に接触する。
【００１３】
電磁リレーはソケットに差し込まれて用いられるが、電磁リレーがソケットに差し込まれるとき、端子２は上方に押され、固定接点３が可動接点４より上方にずれて、可動接点４に接触しない場合が生じる。
【００１４】
そこで、固定接点３が上方にずれないように、基台１から露出している端子２の他端側の中央側に切欠部５（図２参照）を設ける。基台１の貫通孔１ａの上方から端子２を圧入した後、図３に示すように、治具（図示せず）を用いて矢印の方向から端子２の主面より外側に押し出す。これによって、基台１の裏面に切欠部５の上端面５ｂ１１が当接するので、電磁リレーがソケットに差し込まれるとき、端子２は上方に押されてずれることはなく、固定接点３が可動接点４より上方にずれることを防ぐ。
【００１５】
なお、図３において、基台１の裏面のうち、裏面１ｄは治具が擦れないように、裏面１ｃと比較して深く形成されている。
【００１６】
切欠部５は従来の切欠部５０（図９参照）と異なり、端子２にコの字形の溝５ｂで区画されることによって形成される。よって、端子２には、図９に示す切り落とされた領域５０ｂがないので、その分、端子２の切欠部５の両側の側部５ａの横方向の長さＬ１（図４参照）を長くとれるので、端子２の切欠部５の両側の側部５ａの強度が増し、電磁リレーのソケットへの挿入の際に、端子２が折れ曲がり難くなる。
【００１７】
また、コの字形の溝５ｂのうち、縦方向の溝５ｂ２の長手方向の断面を図５に示す。他方の縦方向の溝５ｂ３の断面も溝５ｂ２と同様である。図５に示すように、溝５ｂ２，５ｂ３の深さは、切欠部５の付け根に近いほど階段状に浅くなっているので、治具の適度な押圧力によって切欠部５の溝５ｂ１及び溝５ｂ２，５ｂ３の一部が端子２から切り離されて端子２の主面より外側に打ち出され、溝５ｂ２，５ｂ３の残りの部分は端子２に繋がったままになる。よって、端子２の切欠部５の両側の側部５ａの縦方向の長さＬ２（図４）が短くなるので、端子２の切欠部５の両側の側部５ａの強度が増し、電磁リレーのソケットへの挿入の際に、端子２が折れ曲がり難くなる。
【００１８】
また、図５に示すように、溝５ｂ１の断面はＶ字形であることが望ましい。これによって、治具を用いて切欠部５を端子２の主面より外側に押し出している最中に、切欠部５の上端面５ｂ１１が溝５ｂ１の下端面５ｂ１２に擦れないので、端子２が折れ曲がり難くなる。
【００１９】
また、溝５ｂ１の断面は図６に示すような下端面５ｂ１２がテーパ形状になるＶ字形でもよいが、図５に示すように上端面５ｂ１１がテーパ形状になるＶ字形のほうが望ましい。これによって、図３に示すように端子２の主面より外側に押し出された切欠部５の上端面５ｂ１１と基台１の平坦な裏面１ｃとが平行になって接触して摩擦が大きくなり、電磁リレーのソケットへの挿入の際に、端子２が上方へさらにずれ難くなる。
【００２０】
（実施の形態２）
実施の形態２は、実施の形態１に次の構成を付け加えたものである。図７は基台１の裏面側の一部を示す斜視図である。基台１の裏面側には、端子２を差し込むための貫通孔１ａと、貫通孔１ａに直交する方向に設けられ、切欠部５を治具で打ち出すための溝１ｂとが設けられている。基台１のうち、端子２の切欠部５の側部５ａが貫通孔１ａに位置する部分は、板状の端子２の切欠部５の側部を保持する保持部を構成する。
【００２１】
以上のように、切欠部５を設けたことによって側部５ａを保持部で保持するため、端子２が安定して折れ曲がり難くなる。
【００２２】
（変形例）
なお、本発明は図示するものに限らない。例えば、実施の形態では電磁リレーに適用した場合を説明したが、他の電気機器であってもよい。また、実施の形態２では、切欠部５を図９に示す従来の切欠部５０に置き換えてもよい。
【００２３】
【発明の効果】
請求項１に記載の発明によれば、切欠部を区画する溝の深さを当該切欠部の付け根に近いほど浅く、切欠部が板状の端子の主面より外側に押し出されたことで、ソケットへの挿入の際に端子がずれることがなく、しかも折れ曲がり難い。
【００２４】
請求項２に記載の発明によれば、溝をＶ字形にしたことで、切欠部を端子の主面より外側に押し出すとき、端子が折れ曲がり難くなる。
【００２５】
請求項３に記載の発明によれば、切欠部の端面をテーパ形状にしたことで、ソケットへの挿入の際に、端子がさらにずれ難くなる。
【００２６】
請求項４に記載の発明によれば、切欠部が基台の表面において板状の端子の主面より外側に押し出され、板状の端子の切欠部の側部を保持することで、ソケットへの挿入の際に端子がずれることがなく、しかも折れ曲がり難い。
【図面の簡単な説明】
【図１】本発明の実施の形態１の電磁リレーの一部を示す断面図である。
【図２】本発明の実施の形態１の端子を示す平面図である。
【図３】本発明の実施の形態１の電磁リレーの一部を示す拡大断面図である。
【図４】本発明の実施の形態１の端子を示す拡大平面図である。
【図５】本発明の実施の形態１の溝を示す拡大断面図である。
【図６】本発明の実施の形態１の溝を示す拡大断面図である。
【図７】本発明の実施の形態２の電磁リレーの一部を示す斜視図である。
【図８】従来の電磁リレーの一部を示す断面図である。
【図９】従来の端子を示す拡大平面図である。
【符号の説明】
１　基台、１ａ　貫通孔、２　端子、５　切欠部、５ｂ　溝。
【図１】
2004039478.tif 000003
【図２】
2004039478.tif 000004
【図３】
2004039478.tif 000005
【図４】
2004039478.tif 000006
【図５】
2004039478.tif 000007
【図６】
2004039478.tif 000008
【図７】
2004039478.tif 000009
【図８】
2004039478.tif 000010
【図９】
2004039478.tif 000011